(57)【要約】    【課題】  誘導灯の取り換えを迅速かつ容易にする誘導灯保護カバーの取り付け具を提供することである。    【解決手段】  既存の収納ボックスの取付穴に対応する個所に貫通穴（１２ａ）が設けられた第１部分（１２）と、新しい誘導灯保護カバーの取付穴に対応する個所に貫通穴（１４ａ）が設けられた第２部分（１４）と、第１部分と第２部分とを接続するための第３部分（１６）とを備えていることを特徴とする取り付け具（１０）が提供される。取り付け具は好ましくは、１枚の金属板を折り曲げることによって形成されている。【選択図】  図１
2005258604.tif 000002
【特許請求の範囲】
【請求項１】
誘導灯保護カバーの取り付け具であって、
既存の収納ボックスの取付穴に対応する個所に貫通穴が設けられた第１部分と、
新しい誘導灯保護カバーの取付穴に対応する個所に貫通穴が設けられた第２部分と、
前記第１部分と前記第２部分とを接続するための第３部分とを備えていることを特徴とする取り付け具。
【請求項２】
１枚の金属板を折り曲げることによって、一体に形成されていることを特徴とする請求項１に記載の取り付け具。
【発明の詳細な説明】
【技術分野】
【０００１】
本発明は一般に、誘導灯保護カバーの取り付け具に関する。より詳細には、本発明は、誘導灯を交換する際に用いられる誘導灯保護カバーの取り付け具に関する。
【背景技術】
【０００２】
ビルには、非常口への誘導路を表示する誘導灯が設置されている。このような誘導灯は一般的に、壁に埋め込まれた収納ボックスに枠を取り付け、この枠に保護カバーを取り付けるように構成されている（図３参照）。
【０００３】
一方、近年、ビルの改装が盛んに行われているが、技術進歩と消防法の改正に伴い、設備機器等が小型化・軽量化される傾向にある。したがって、ビルの改装の際、同一メーカの機器を使用するのであれば、取り付け寸法や納まりに特に支障がない場合が多いが、他のメーカの機器を使用しようとすると、取り付け寸法や納まりに問題を生ずることがある。すなわち、誘導灯の改修に際しては、壁に埋め込まれた既存の収納ボックスに、新型の誘導灯を取り付けるのが一般的であるが、他のメーカの誘導灯を取り付けようとすると、形状や寸法が異なるため、既存の取付穴に取り付けることができず、既存の収納ボックスの取付部を切断加工し、位置調整金物を介して、新しい誘導灯を取付けたり（図４参照）、或いは、既存の収納ボックスを取り外して新しい収納ボックスを壁に埋め込む（図５参照）等の工夫が行われている。
【発明の開示】
【発明が解決しようとする課題】
【０００４】
しかしながら、改修時に取付部を加工したり、壁面のハツリを行ったりすると、作業に手間がかかり、改修に要する時間がかかるとともに、改修コストが高くなるという不都合がある。また、壁面のハツリを行った場合には、破損した個所の修理等の余分な作業を余儀なくされるという課題もある。さらに、騒音の発生によって、居住者が入居したままでの工事ができなくなる。よって、誘導灯の交換を迅速かつ容易に実施することができる技術に対する強い要請がある。
【０００５】
したがって、本発明は、誘導灯の取り換えを迅速かつ容易にする誘導灯保護カバーの取り付け具を提供することを目的とする。
【課題を解決するための手段】
【０００６】
本願請求項１に記載の誘導灯保護カバーの取り付け具は、既存の収納ボックスの取付穴に対応する個所に貫通穴が設けられた第１部分と、新しい誘導灯保護カバーの取付穴に対応する個所に貫通穴が設けられた第２部分と、前記第１部分と前記第２部分とを接続するための第３部分とを備えていることを特徴とするものである。
【０００７】
本願請求項２に記載の誘導灯保護カバーの取り付け具は、前記請求項１の取り付け具において、１枚の金属板を折り曲げることによって、一体に形成されていることを特徴とするものである。
【発明の効果】
【０００８】
本発明の取り付け具を用いれば、改修時に新しい誘導灯に取り換えようとする場合、取付部を加工したり壁面のハツリを行ったりする等の余分な作業を実施する必要がなくなり、改修に要する時間や改修コストを低減させることができる。また、入居している人が在室したままで工事を行うことができるという利点がある。さらに、本発明の取り付け具は、極めて簡単な構造であり、安価に製作することができる。
【発明を実施するための最良の形態】
【０００９】
次に、図面を参照して、本発明の好ましい実施の形態について詳細に説明する。図１は、本発明の好ましい実施の形態に係る誘導灯保護カバーの取り付け具を用いて新しい保護カバーを取り付ける状態を示した分解斜視図である。図１に示されるように、壁に既存の収納ボックスが埋め込まれており、収納ボックスの前面には、保護カバーを取り付けるための取付穴が設けられている（図示される例では、左右両側の上下にそれぞれ１つずつの取付穴が設けられている）。なお、収納ポックス内に配置されている誘導灯本体や配線等は、図面の簡単化のため、省略されている。
【００１０】
図１において参照符号１０で示される本発明の好ましい実施の形態に係る誘導灯保護カバーの取り付け具は、矩形の金属板で形成され、既存の収納ボックスに取り付けるための第１部分１２を有している。第１部分１２には、既存の収納ボックスの取付穴に対応する個所に、貫通穴１２ａが設けられている。
【００１１】
誘導灯保護カバーの取り付け具１０は又、矩形の金属板で形成され、新しい保護カバーを取り付けるための第２部分１４を有している。第２部分１４には、新しい保護カバーの取付穴に対応する個所に、貫通穴１４ａが設けられている。
【００１２】
誘導灯保護カバーの取り付け具１０は更に、矩形の金属板で形成され、第１部分１２と第２部分１４とを接続するための第３部分１６を有している。
【００１３】
誘導灯保護カバーの取り付け具１０の第１、第２及び第３部分１２、１４、１６は好ましくは、１枚の金属板を折り曲げることによって、一体に形成されている。
【００１４】
次に、以上のように構成された誘導灯保護カバーの取り付け具１０の使用について説明する。まず、取り付け具１０の第１部分１２の貫通穴１２ａを既存の収納ボックスの対応する取付穴に合わせ、貫通穴１２ａと取付穴にネジをねじ込んで、取り付け具１０を収納ボックスに固定する。次いで、新しい誘導灯保護カバーの取り付け穴を取り付け具１０の第２部分１４の貫通穴１４ａに合わせ、取付穴と貫通穴１４ａにネジをねじ込むことによって、新しい誘導灯保護カバーが固定される。
【００１５】
本発明は、以上の発明の実施の形態に限定されることなく、特許請求の範囲に記載された発明の範囲内で、種々の変更が可能であり、それらも本発明の範囲内に包含されるものであることはいうまでもない。
【００１６】
例えば、図１及び図２（ａ）に示される実施の形態では、取り付け具１０の第１部分１２と第２部分１４がほぼ同じ大きさであり、第３部分１６が第１及び第２部分１２、１４に対して直交しているが、第１部分１２と第２部分１４の大きさが異なるように形成してもよく（図２（ｂ）参照）、或いは、第３部分１６が第１及び第２部分１２、１４に対して直交しないように形成してもよい（図２（ｃ）参照）。
【図面の簡単な説明】
【００１７】
【図１】本発明の好ましい実施の形態に係る誘導灯保護カバーの取り付け具を用いて新しい保護カバーを取り付ける状態を示した分解斜視図である。
【図２】本発明の取り付け具の種々の形態を示した斜視図である。
【図３】従来の誘導灯の取り付け状態を示した分解斜視図である。
【図４】新しい誘導灯に取り換える際における従来の工法の一例を示した分解斜視図である。
【図５】新しい誘導灯に取り換える際における従来の工法の別の例を示した分解斜視図である。
【符号の説明】
【００１８】
１０  誘導灯保護カバーの取り付け具
１２  第１部分
１２ａ  貫通穴
１４  第２部分
１４ａ  貫通穴
１６  第３部分
【図１】
2005258604.tif 000003
【図２】
2005258604.tif 000004
【図３】
2005258604.tif 000005
【図４】
2005258604.tif 000006
【図５】
2005258604.tif 000007